(57)【要約】【課題】複数の入力端子から入力された各入力信号の検出を短縮すること。【解決手段】映像表示装置１は、複数種の周辺機器から映像を入力するための複数の入力端子１８を備えた映像表示装置１において、複数の入力端子１８のうち、周辺機器が接続されている２以上の接続入力端子を検出する接続端子検出手段と、２以上の接続入力端子のうち、入力信号が伝送されている２以上の伝送入力端子を検出する伝送端子検出手段と、２以上の伝送入力端子の検出情報を記憶する端子検出情報記憶部と、端子検出情報記憶部に記憶された２以上の伝送入力端子の検出情報に基づいて、映像表示のための各伝送入力端子の切換えを行なう入力切換手段と、を備えたものである。【選択図】図３
2008197276.tif 000002
【特許請求の範囲】
【請求項１】
複数種の周辺機器から映像を入力するための複数の入力端子を備えた映像表示装置において、
前記複数の入力端子のうち、前記周辺機器が接続されている２以上の接続入力端子を検出する接続端子検出手段と、
２以上の前記接続入力端子のうち、入力信号が伝送されている２以上の伝送入力端子を検出する伝送端子検出手段と、
２以上の前記伝送入力端子の検出情報を記憶する端子検出情報記憶部と、
前記端子検出情報記憶部に記憶された２以上の前記伝送入力端子の検出情報に基づいて、映像表示のための前記各伝送入力端子の切換えを行なう入力切換手段と、を備えたことを特徴とする映像表示装置。
【請求項２】
前記端子検出情報記憶部に記憶された前記各伝送入力端子の検出情報を、前記接続端子検出手段および前記伝送端子検出手段により再検出した前記各伝送入力端子の検出情報に更新する検出情報更新手段と、
前記入力切換手段による切換え操作の１回の操作時間を計測する操作時間計測手段と、を更に備え、
前記操作時間計測手段による前記操作時間が所定時間に達した場合、前記検出情報更新手段により前記検出情報を更新することを特徴とする請求項１に記載の映像表示装置。
【請求項３】
前記入力切換手段は、２以上の前記伝送入力端子を循環するように切り換え、
前記端子検出情報記憶部に記憶された前記各伝送入力端子の検出情報を、前記接続端子検出手段および前記伝送端子検出手段により再検出した前記各伝送入力端子の検出情報に更新する検出情報更新手段と、
前記入力切換手段の切換え操作により、前記各伝送入力端子が一巡したことを検出する一巡検出手段と、を更に備え、
前記一巡検出手段による検出結果に基づいて、前記検出情報更新手段により前記検出情報を更新することを特徴とする請求項１および２に記載の映像表示装置。
【請求項４】
前記端子検出情報記憶部に記憶された前記各伝送入力端子の検出情報を、前記接続端子検出手段および前記伝送端子検出手段により再検出した前記各伝送入力端子の検出情報に更新する検出情報更新手段を更に備え、
前記接続検出手段により新たな前記接続入力端子が検出された場合、前記検出情報更新手段により前記検出情報を更新することを特徴とする請求項１に記載の映像表示装置。
【発明の詳細な説明】
【技術分野】
【０００１】
本発明は、複数種の周辺機器から映像を入力するための複数の入力端子を備えた映像表示装置に関するものである。
【背景技術】
【０００２】
従来、この種の映像表示装置として、パソコンやビデオ等からの映像を入力するための複数の入力端子を有する液晶プロジェクタと、液晶プロジェクタと別体に設けられ、各入力端子の切換えを行なうためのタッチパネルと、を備えたものが知られている（例えば、特許文献１参照）。このタッチパネルには、各入力端子に入力された入力信号に基づいて、複数の映像を表示する表示部が設けられており、表示部に表示された所望の映像に触れることで、各入力端子を切り換えている。これにより、タッチパネルを視認しながら、所望の映像を簡単に表示することができる。
【特許文献１】特開２００３−３２３１６８号公報
【発明の開示】
【発明が解決しようとする課題】
【０００３】
ところで、上記のような映像表示装置において、タッチパネルの表示部に、複数の入力端子を介して入力された映像を表示する場合、全ての入力端子から入力信号を検出することが想定される。この場合、周辺機器が接続されていない入力端子まで入力信号の検出を行なうため、全ての入力信号を検出するのに時間がかかってしまう問題がある。
【０００４】
本発明は、複数の入力端子から入力された各入力信号の検出を短縮することができる映像表示装置を提供することを課題とする。
【課題を解決するための手段】
【０００５】
本発明の映像表示装置は、複数種の周辺機器から映像を入力するための複数の入力端子を備えた映像表示装置において、複数の入力端子のうち、周辺機器が接続されている２以上の接続入力端子を検出する接続端子検出手段と、２以上の接続入力端子のうち、入力信号が伝送されている２以上の伝送入力端子を検出する伝送端子検出手段と、２以上の伝送入力端子の検出情報を記憶する端子検出情報記憶部と、端子検出情報記憶部に記憶された２以上の伝送入力端子の検出情報に基づいて、映像表示のための各伝送入力端子の切換えを行なう入力切換手段と、を備えたことを特徴とする。
【０００６】
この構成によれば、接続端子検出手段により、周辺機器が接続されている接続入力端子を検出した後、伝送端子検出手段により、接続入力端子に入力信号が伝送されている伝送入力端子を検出することができる。このため、接続入力端子のみの入力信号を検出すればよく、全ての入力端子の入力信号の有無を検出する必要が無い。これにより、入力信号の検出を短縮することができる。なお、入力信号を検出するよりも、接続信号を検出するほうが、検出時間が短いことは言うまでもない。
【０００７】
この場合、端子検出情報記憶部に記憶された各伝送入力端子の検出情報を、接続端子検出手段および伝送端子検出手段により再検出した各伝送入力端子の検出情報に更新する検出情報更新手段と、入力切換手段による切換え操作の１回の操作時間を計測する操作時間計測手段と、を更に備え、操作時間計測手段による操作時間が所定時間に達した場合、検出情報更新手段により検出情報を更新することが、好ましい。
【０００８】
この構成によれば、例えば、入力切換ボタンの長押し等の切換え操作を行うことで、伝送入力端子の検出情報を更新することができる。これにより、新たに周辺機器を接続した入力端子に切り換えることが可能となる。
【０００９】
この場合、入力切換手段は、２以上の伝送入力端子を循環するように切り換え、端子検出情報記憶部に記憶された各伝送入力端子の検出情報を、接続端子検出手段および伝送端子検出手段により再検出した各伝送入力端子の検出情報に更新する検出情報更新手段と、入力切換手段の切換え操作により、各伝送入力端子が一巡したことを検出する一巡検出手段と、を更に備え、一巡検出手段による検出結果に基づいて、検出情報更新手段により検出情報を更新することが、好ましい。
【００１０】
この構成によれば、入力切換手段の切換え操作により、検出された各入力端子が一巡することで、伝送入力端子の検出情報を更新することができる。これにより、新たに周辺機器を接続した入力端子に切り換えることが可能となる。
【００１１】
この場合、端子検出情報記憶部に記憶された各伝送入力端子の検出情報を、接続端子検出手段および伝送端子検出手段により再検出した各伝送入力端子の検出情報に更新する検出情報更新手段を更に備え、接続検出手段により新たな接続入力端子が検出された場合、検出情報更新手段により検出情報を更新することが、好ましい。
【００１２】
この構成によれば、入力端子に周辺機器が接続されることで、伝送入力端子の検出情報を更新することができる。これにより、新たに周辺機器を接続した入力端子に切り換えることが可能となる。
【発明を実施するための最良の形態】
【００１３】
以下、添付の図面を参照して、本発明の実施形態に係る映像表示装置について説明する。本実施形態に係る映像表示装置は、周辺機器が接続された接続入力端子から入力信号が伝送されている伝送入力端子を検出するものである。なお、本実施形態では、映像表示装置としてプロジェクタを用いた場合を例に挙げて説明する。
【００１４】
図１および図２は、プロジェクタ１を前方および後方からそれぞれ見た外観斜視図である。両図に示すように、プロジェクタ１は、略直方形状のケース２により外殻が形成され、ケース２の前面右部に内蔵した投射ランプ３の光軸上に位置して、レンズ４が配設されている。
【００１５】
ケース２上面には、プロジェクタ１の起動・調整操作を行うための操作パネル５が設けられている。操作パネル５には、電源ボタン６や、外部機器の入力切換え行うための入力切換ボタン７などの複数の操作ボタン８が配設されており、これら操作ボタン８を適宜押下することによりプロジェクタ１の所望の操作を行うようになっている。
【００１６】
ケース２上面のレンズ４近傍には、投射ランプ３による投射光の上下方向の変調調整を行うための上下調整ダイヤル９と、左右方向の変調調整を行うための左右調整ダイヤル１０と、が左右に並んで配設されている。投射ランプ３は、液晶パネル（図示省略）で変調形成された光学像を拡大投射する機能を備えており、上記のレンズ４は組レンズで構成されている。ケース２下面には、前部の２つの調整脚部１１、１１と、後部の１つの固定脚部１２と、が配設され、投射時におけるプロジェクタ１の上下方向および左右方向の位置調整が可能になっている。
【００１７】
ケース２の前面には、リモコン受光窓１３が形成されている。リモコン受光窓１３の内部には、図外のリモートコントローラ（リモコン）からの操作信号を受信するリモコン受光部２１が設けられている。なお、リモートコントローラには、上述した操作パネル５に設けられた操作ボタン８と同様の機能を有し、例えば、プロジェクタ１に接続された外部機器の入力切換ボタンが設けられており、それらを操作すると、操作に応じた赤外線信号がリモートコントローラから出力され、リモコン受光窓１３を介してリモコン受光部２１で受光されて、制御信号に変換された後、後述する制御部２０で処理が行われる。
【００１８】
ケース２の後面には、窪み部１６が設けられ、この窪み部１６の下部に位置して電源コネクタ１７が配設されている。また、窪み部１６には、ＰＣやＤＶＤ等の外部機器から画像信号および音声信号等を入力するための複数の接続端子１８が配設されている。窪み部１６の横には、上記のリモコン受光窓１３と同一のリモコン受光窓１３と、音声を出力するためのスピーカ１９と、が配設されている。また、図１および図２では省略したが、ケース２の内部には、プロジェクタ１を統括制御する制御部２０を構成する回路基板が搭載されている。
【００１９】
次に、図３を参照して、本実施形態に係るプロジェクタ１の制御系について説明する。同図に示すように、プロジェクタ１は、入力処理部２２と、電源部２３と、入力選択部２４と、映像音声処理部２５と、映像出力部２６と、映像投射部２７と、音声出力部２８と、タイマ部２９と、記憶部３０と、接続端子検出部３５と、これらを統括制御する制御部２０と、を備えている。
【００２０】
入力処理部２２は、リモコン受光部２１が受光したリモコン３１の入力切換操作および操作ボタン８の入力切換操作による入力信号処理を行う。ここで、入力切換操作には、単に入力切換ボタンの押下による入力切換操作と、所定時間（例えば、１秒）以上、入力切換ボタンが長押しされる入力切換操作と、が含まれる。電源部２３は、電源コネクタ１７を介して外部電源からプロジェクタ１の各部に電力を供給する。
【００２１】
接続端子検出部（接続端子検出手段）３５は、複数の接続端子１８の中から外部接続機器が接続された接続入力端子を検出し、検出情報を制御部２０に出力する。入力選択部２４は、制御部２０の制御に従い、接続端子検出部３５が検出した接続入力端子からの入力信号を選択して、選択した入力信号を映像音声処理部２５に出力する。
【００２２】
映像音声処理部２５は、入力選択部２４から出力された入力信号に対して、所定の映像音声処理を施して、映像信号を映像出力部２６に、音声信号を音声出力部２８に出力する。映像出力部２６は、映像音声処理部２５で映像音声処理が施された映像信号を、映像投射部２７に出力する。映像投射部２７は、投射ランプ３やレンズ４等の光学系部品を含んで構成され、映像出力部２６から出力された映像をスクリーン等に投射する。なお、映像出力部２６および映像投射部２７は、映像表示部を構成する。
【００２３】
音声出力部２８は、映像音声処理部２５で映像音声処理が施された音声信号を、スピーカ１９に出力する。タイマ部２９は、制御部２０の指示に従い、入力切換操作の操作時間を計測する。具体的には、タイマ部２９は、入力切換操作の全体の操作時間（例えば、１０秒）を計測すると共に（タイマ１）、入力切換操作の１回の操作時間（例えば、１秒）を計測する（タイマ２）。記憶部３０は、主要部がＲＡＭで構成され、入力信号が伝送されている伝送入力端子の検出情報を記憶する。
【００２４】
制御部２０は、ＣＰＵ、ＲＯＭ、ＲＡＭおよびこれらを接続する内部バス等で構成されている。プロジェクタ１の各部から各種信号およびデータが入力されると、ＣＰＵは、ＲＯＭ内に記憶された制御プログラムに従って、入力された各種信号およびデータに基づいて、ＲＡＭ内の各種データを演算処理し、各部に各種信号およびデータを出力する。具体的には、制御部２０は、接続端子検出部３５が検出した接続入力端子から、映像音声処理部２５に入力信号が伝送されている２以上の伝送入力端子を検出し（伝送端子検出手段）、伝送入力端子の検出情報を記憶部３０に記憶して、伝送入力端子の検出情報に基づいて、入力処理部２２および入力選択部２４を介して、映像表示のための伝送入力端子の切換えを行う（入力切換手段）。ここで、入力切換は、２以上の伝送入力端子を循環するように切換えられる。
【００２５】
また、制御部２０は、記憶部３０に記憶された伝送入力端子の検出情報を、入力切換手段による入力切換操作の１回の操作時間が所定時間に達した場合、接続端子検出手段および伝送端子検出手段により再検出した各伝送入力端子の検出情報を更新する（検出情報更新手段）。また、制御部２０は、入力切換手段の切換え操作により、各伝送入力端子が一巡したことを検出する（一巡検出手段）。ここで、検出された各入力端子が一巡した場合、伝送入力端子の検出情報が更新される。
【００２６】
なお、接続端子検出手段、伝送端子検出手段、入力切換手段、検出情報更新手段および一巡検出手段は、ＣＰＵが、ＲＯＭ内の制御プログラムに従って各種データを演算し、さらにタイマ部２９および記憶部３０と協働して処理を実行することにより実現されるものである。
【００２７】
次に、図４を参照して、起動時におけるプロジェクタ１の動作について説明する。まず、電源部２３が電源オンされると、制御部２０は、接続端子検出部３５を介して、複数の接続端子１８の中から外部接続機器３２が接続された接続入力端子の有無を検出し（Ｓ１）、検出した接続入力端子の中から入力信号の有無、すなわち伝送入力端子を検出する（Ｓ２）。そして、例えば、図５に示す入力端子の検出情報を、記憶部３０に記憶する（Ｓ３）。ここで、図５の検出情報において、「ＰＣ１」、「ＰＣ２」、「Ｖ１」、「Ｖ２」および「Ｄ４」の入力端子のうち、「ＰＣ１」および「Ｖ１」が、入力信号の検出された伝送入力端子であることを示している。また、本実施形態では、一番上の入力端子（「ＰＣ１」）から下の入力端子に向かって順番に検出が行われるものとして説明する。
【００２８】
次に、検出した入力端子があるか否かを判別し（Ｓ４）、入力端子がある場合（Ｓ４：Ｙｅｓ）、最初に検出した入力端子（本実施形態では「ＰＣ１」）に切換える（Ｓ５）。一方、入力端子が無い場合（Ｓ４：Ｎｏ）、先頭の入力端子（本実施形態では「ＰＣ１」）に切換える（Ｓ６）。
【００２９】
次に、図６および図７を参照して、入力切換ボタン７の検出時におけるプロジェクタ１の動作について説明する。まず、制御部２０は、最初の入力切換ボタン７が押下されたことを検出すると（Ｓ２１）、現在の入力端子以外に検出済みの入力端子があるか否かを判別する（Ｓ２２）。ここでは、図８（ａ）に示すように、入力端子「ＰＣ１」および「Ｖｉｄｅｏ２」が検出されており、最初に検出された入力端子「ＰＣ１」が表示されている。すなわち、現在の入力端子「ＰＣ１」以外に検出済みの入力端子「Ｖｉｄｅｏ２」があるので（Ｓ２２：Ｙｅｓ）、Ｓ２３の処理に進む。
【００３０】
次に、ループ確認フラグがＯＮか否かを判別する（Ｓ２３）。ここで、ループ確認フラグは、入力端子が検出済みか否かを示すものであり、ループ確認フラグがＯＮされていない場合（Ｓ２３：Ｎｏ）、ループ確認フラグを立てる（Ｓ２４）。そして、現在の入力端子「ＰＣ１」を保存入力端子、すなわちループ確認フラグがＯＮされている入力端子として記憶部３０に記憶し（Ｓ２５）、タイマ１をスタートする（Ｓ２６）。
【００３１】
そして、次の入力端子「Ｖｉｄｅｏ２」に入力切換えて（Ｓ２７）、タイマ２をスタートする（Ｓ２８）。ここでは、図８（ｂ）に示すように、最初の入力端子「ＰＣ１」から次の入力端子「Ｖｉｄｅｏ２」に切換えられ、入力端子「Ｖｉｄｅｏ２」が表示されている。次に、入力切換ボタン７を離したか否かを判別し（Ｓ２９）、離してない場合（Ｓ２９：Ｎｏ）、タイマ２が、所定時間（例えば、１秒）経過したか判別する（Ｓ３０）。一方、入力切換ボタン７を離した場合（Ｓ２９：Ｙｅｓ）、タイマ２を停止して（Ｓ３１）、処理を終了する。
【００３２】
所定時間経過した場合には（Ｓ３０：Ｙｅｓ）、入力切換ボタン７が長押しされていると判断し、複数の接続端子１８の中から外部接続機器３２が接続された接続入力端子の有無を検出し（Ｓ３５）、検出した接続入力端子の中から入力信号の有無、すなわち伝送入力端子を検出する（Ｓ３６）。そして、例えば、図９に示す入力端子の検出情報を、記憶部３０に記憶する（Ｓ３７）。ここでは、検出情報が更新されて、新たな入力端子「Ｖｉｄｅｏ１」が含まれている。
【００３３】
次に、新たに検出した入力端子があるか否かを判別し（Ｓ３８）、入力端子がある場合（Ｓ３８：Ｙｅｓ）、新たに検出した入力端子のうち最初の入力端子（本実施形態では「Ｖｉｄｅｏ１」）に切換える（Ｓ３９）。一方、新たに検出した入力端子が無い場合（Ｓ３８：Ｎｏ）、最後に検出した入力端子に切換える（Ｓ４０）。
【００３４】
また、次の（２回目以降の）入力切換ボタン７の押下を検出した場合（Ｓ２１）、現在の入力端子（「Ｖｉｄｅｏ２」）以外に検出済みの入力端子があるか否かを判別し（Ｓ２２）、現在の入力端子以外に検出済みの入力端子「ＰＣ１」があるので（Ｓ２２：Ｙｅｓ）、ループ確認フラグがＯＮか否かを判別する（Ｓ２３）。ここでは、既にループ確認フラグがＯＮされているので（Ｓ２３：Ｙｅｓ）、次の入力端子が保存入力端子か否かを判別する（Ｓ３２）。これにより、入力切換操作による伝送入力端子が一巡したことが検出される。本実施形態では、図８（ｃ）に示すように、次の入力端子「ＰＣ１」は保存入力端子であるため（Ｓ３２：Ｙｅｓ）、タイマ１が所定時間（例えば、１０秒）以内であるか判別する（Ｓ３３）。
【００３５】
タイマ１が所定時間以内であれば（Ｓ３３：Ｙｅｓ）、タイマ１を停止して、ループ確認フラグをＯＦＦし、Ｓ３５以降の処理に移行する（Ｓ３４）。一方、次の入力端子が保存入力端子でない場合（Ｓ３２：Ｎｏ）、または、タイマ１が所定時間以内でない場合（Ｓ３３：Ｎｏ）、Ｓ２７の処理に移行する。
【００３６】
以上のように、周辺機器が接続されている接続入力端子を検出した後、接続入力端子に入力信号が伝送されている伝送入力端子を検出するため、接続入力端子のみの入力信号を検出すればよく、全ての入力端子の入力信号の有無を検出する必要が無い。これにより、入力信号の検出を短縮することができる。
【図面の簡単な説明】
【００３７】
【図１】本発明の実施形態に係るプロジェクタを前方から見た外観斜視図である。
【図２】本実施形態に係るプロジェクタを後方から見た外観斜視図である。
【図３】本実施形態に係るプロジェクタの制御系を説明するためのブロック図である。
【図４】起動時におけるプロジェクタの動作を説明するためのフローチャートである。
【図５】検出情報の一例を示す図である。
【図６】入力切換ボタンの検出時におけるプロジェクタの動作を説明するための前半部のフローチャートである。
【図７】入力切換ボタンの検出時におけるプロジェクタの動作を説明するための後半部のフローチャートである。
【図８】本実施形態に係る入力端子の切換えを説明するための模式図である。
【図９】本実施形態に係る更新時における入力端子を示す模式図である。
【符号の説明】
【００３８】
１…映像表示装置（プロジェクタ）  ２０…制御部  ２２…入力処理部  ２４…入力選択部  ２５…映像音声処理部  ２６…映像出力部  ２７…映像投射部  ２９…タイマ部  ３０…記憶部  ３５…接続端子検出部
【図１】
2008197276.tif 000003
【図２】
2008197276.tif 000004
【図３】
2008197276.tif 000005
【図４】
2008197276.tif 000006
【図５】
2008197276.tif 000007
【図６】
2008197276.tif 000008
【図７】
2008197276.tif 000009
【図８】
2008197276.tif 000010
【図９】
2008197276.tif 000011